(57)【要約】【課題】シートの揺れを適正な範囲内に制限することのできる乳幼児用揺動椅子を提供する。【解決手段】本発明のバウンサー１は、使用者が着座するシート２を含む座部３と、床面に載置される脚部５と、前記座部３と前記脚部５とを連結する弾性部材６とを備え、前記座部３を下方に押し下げて前記弾性部材６を弾性変形させることによって前記座部３を前記脚部５に対して揺動させるバウンサー１において、前記座部３が、前記シート２の裏面よりも下方に延びる揺動制限部材２１を備える。【選択図】図１
2007159709.tif 000002
【特許請求の範囲】
【請求項１】
使用者が着座するシートを含む座部と、床面に載置される脚部と、前記座部と前記脚部とを連結する弾性部材とを備え、前記座部を下方に押し下げて前記弾性部材を弾性変形させることによって前記座部を前記脚部に対して揺動させる揺動椅子において、
前記座部が、前記シートの裏面よりも下方に延びる揺動制限部材を備えていることを特徴とする揺動椅子。
【請求項２】
前記揺動制限部材が、前記シートの前記裏面と所定の距離離間して横方向に延びる湾曲した棒状部材であることを特徴とする請求項１に記載の揺動椅子。
【請求項３】
前記揺動制限部材の両端部に複数の調整孔が設けられ、前記座部が、前記シートの上方を囲み且つ前記シートと連結しているフレームと、前記フレームの両側部から延びる、側面に挿入孔が設けられた２本の円筒部材と、前記円筒部材に前記揺動制限部材の両端をそれぞれ挿入し、前記挿入孔と前記複数のいずれかの調整孔との位置を合わせてピン部材を挿入することによって、前記揺動制限部材が前記シートの裏面より下方に延びる長さを調整可能な長さ調整機構と、を備えていることを特徴とする請求項２に記載の揺動椅子。
【請求項４】
前記弾性部材が、弾性を有する棒状部材を折り曲げて形成されたものであり、前記脚部に対して前記弾性部材を所定の角度で保持する角度保持部材を備えていることを特徴とする請求項１〜３のいずれか１項に記載の揺動椅子。
【請求項５】
前記角度保持部材が、前記所定の角度を複数の角度から選択可能な角度調整機構を備えていることを特徴とする請求項４に記載の揺動椅子。
【請求項６】
前記弾性部材と前記角度保持部材との係合を解除し、前記シートを前記脚部の間に挟み込むことにより、折りたたみ状態とすることが可能な請求項４又は５に記載の揺動椅子。
【発明の詳細な説明】
【技術分野】
【０００１】
本発明は揺動椅子に関し、特にバウンシングする乳幼児用揺動椅子に関する。
【背景技術】
【０００２】
一般に、ベビーバウンサーと呼ばれる乳幼児用揺動椅子は、乳幼児が座るシートを備え、当該シートの下面には、棒状の弾性部材が取り付けられている。そして弾性部材はシートの下面からシートの前方に延びて下方に湾曲した後、再度シートの下方へと湾曲して床面と接する脚部を構成している。そしてシートの後部を下に押すことによって弾性部材が撓み、その反発力によってシートが揺れるようになっている（例えば、特許文献１参照）。
【特許文献１】株式会社カトージ、  デジタルカタログ、［online］、［平成17年10月13日検索］、インターネット、<http://www.katoji.co.jp/dpm/katoji.html>
【発明の開示】
【発明が解決しようとする課題】
【０００３】
しかし、このような揺動椅子の場合、シートを押し下げる加減が難しく、押し下げる量が多すぎると、乳幼児が快適と感じる範囲を超えてシートが揺れてしまうという問題がある。そこで本発明は、シートの揺れを適正な範囲内に制限することのできる乳幼児用揺動椅子を提供することを目的とする。
【課題を解決するための手段】
【０００４】
本発明の揺動椅子（１）は、使用者が着座するシート（２）を含む座部（３）と、床面（４）に載置される脚部（５）と、前記座部（３）と前記脚部（５）とを連結する弾性部材（６）とを備え、前記座部（３）を下方に押し下げて前記弾性部材（６）を弾性変形させることによって前記座部（３）を前記脚部（５）に対して揺動させる揺動椅子（１）において、前記座部（３）が、前記シート（２）の裏面よりも下方に延びる揺動制限部材（２１）を備えることにより上述した課題を解決する。
【０００５】
これによると、座部を下方に押し下げた場合に、シートが床面に接するより前に揺動制限部材が床面に当接する。従って、シートがそれよりも下がることがなく、シートの揺れの範囲を制限することができる。
【０００６】
また、本発明の揺動椅子（１）の一形態において、前記揺動制限部材（２１）は、前記シート（２）の裏面と所定の距離離間して横方向に延びる湾曲した棒状部材であってもよい。これによると、簡単な構造の揺動制限部材を提供することができる。
【０００７】
更に、本発明の揺動椅子（１）の一形態において、前記揺動制限部材（２１）の両端部に複数の調整孔（２１ａ）が設けられ、前記座部（３）が、前記シート（２）の上方を囲み且つ前記シートと連結しているフレーム（８）と、前記フレーム（８）の両側部から延びる、側面に挿入孔（２２ａ）が設けられた２本の円筒部材（２２）と、前記円筒部材（２２）に前記揺動制限部材（２１）の両端をそれぞれ挿入し、前記挿入孔（２２ａ）と前記複数のいずれかの調整孔（２１ａ）との位置を合わせてピン部材（２３ａ）を挿入することによって、前記揺動制限部材が前記シートの裏面より下方に延びる長さが調整可能な長さ調整機構（２３）と、を備えてもよい。
【０００８】
例えば、重い乳幼児を乗せた場合に適切な範囲に揺動を制限する揺動制限部材が取り付けられた揺動椅子に軽い乳幼児を乗せた場合、釣合いの位置は重い乳幼児を乗せた場合より高い。この状態で揺動制限部材が床面に接触するまで座部を湾曲させると、揺動の範囲が大きくなりすぎる。しかし本形態によると、揺動制限部材の長さが調整可能であるため、このような場合に揺動制限部材を長くすることができ、揺動範囲を所定の範囲に制限することができる。また、その長さの調整は、挿入孔といずれかの調整孔との位置を合わせてピン部材を挿入するという容易な作業によって行うことができる。
【０００９】
本発明の揺動椅子（１）の一形態において、前記弾性部材（６）が弾性を有する棒状部材を折り曲げて形成されたものであり、前記脚部（５）に対して前記弾性部材（６）を所定の角度で保持する角度保持部材（１６）を備えていてもよい。また、前記角度保持部材（１６）が、前記所定の角度を複数の角度から選択することのできる角度調整機構（１６ａ，１６ｂ，１６ｃ）を備えていてもよい。これによると、棒状部材で形成された弾性部材の脚部に対する角度、すなわちシートの脚部に対する角度も調整でき、適宜乳幼児の体重等の諸条件に合わせて角度を変更することができる。
【００１０】
また、本発明の揺動椅子（１）の一形態において、前記弾性部材（６）と前記角度保持部材（１６）との係合を解除し、前記シート（２）を前記脚部（５）の間に挟み込むことにより、折りたたみ状態とすることができるようにしてもよい。これによると、非使用時には、揺動椅子を折りたたんで収納することができる。
【００１１】
なお、以上の説明では本発明の理解を容易にするために添付図面の参照符号を括弧書きにて付記したが、それにより本発明が図示の形態に限定されるものではない。
【発明の効果】
【００１２】
以上、説明したように本発明によれば、揺動制限部材が設けられているため、座部を下方に押し下げた際に弾性部材がシートよりも先に床面に接し、揺動の範囲を所定の範囲に制限することができ、シートの揺動を適正な範囲に制限することができる。従って、揺動椅子に乳幼児を乗せて揺らす際に、座部を押し下げる量を気にすることなく、常に一定の揺動範囲で揺動椅子を揺動させることができる。
【発明を実施するための最良の形態】
【００１３】
図１は、本発明の揺動椅子の一形態である乳幼児用バウンサーの斜視図である。このバウンサー１は、乳幼児が座るシート２を備える座部３と、床面４に載置される脚部５とを備え、座部３と脚部５とは弾性部材であるばね部材６で連結されている。
【００１４】
座部３は、上述のようにシート２を備え、そのシート２は、乳幼児の下半身を支える座席２ａと上半身を支える背もたれ２ｂとからなる。また、座席２ａの前端は、乳児の足が当たっても痛くないように滑らかに下方に湾曲している。
【００１５】
また、座部３は、更にシート２の上方を囲むフレーム８を備え、そのフレーム８は、前部Ｕ字形部材８ａと、後部Ｕ字形部材８ｂと、その両者を連結する連結部９とからなる。そして前部Ｕ字形部材８ａの前端はシート２の前端に連結され、後部Ｕ字形部材８ｂの後端はシート２の後端の上方まで延びている。実際の使用時において、シート２には柔らかな布製のカバー（図示せず）が被せられる。そしてカバーの端部は袋部に形成されて、その袋部に前部Ｕ字形部材８ａと後部Ｕ字形部材８ｂとが挿通されることにより、シート２がフレーム８に支えられる。
【００１６】
図２（ａ）はバウンサー１の前側面図であり、図２（ｂ）はバウンサー１の前部を斜め後から見た斜視図である。図１及び図２に示したように連結部９の前端の、前部Ｕ字形部材８ａが挿入された部分の下の部分には、弾性部材であるばね部材６の端部が挿入されている。ばね部材６は、弾性を有する１本の棒状部材をコの字状に曲げて両側部６ａと前部６ｂとを形成し、更に前部６ｂの中央を内側に折り曲げて突出部６ｃを設けたものである。また突出部６ｃは図２（ａ）に示したように両側部６ａに対して所定の角度αだけ下を向いている。
【００１７】
脚部５は、図１で示したように、Ｕ字部１１と、Ｕ字部１１の前方に取り付けられた前カバー１２を備える。前カバー１２の上部には、調整孔１３ａを有する隆起部１３が設けられている。そして調整孔１３ａに、上述のばね部材６の突出部６ｃの両側の前部６ｂが挿通されて、ばね部材６が前カバー１２に固定されている。更に、前カバー１２の後部１２ａは前方に窪んでおり、その後部１２ａの両端を跨いで上方に湾曲した連結棒１４が取り付けられている。
【００１８】
連結棒１４の中央部には、図２で示したように外形が略楕円形をした部材であって、長手方向の一端には孔１６ａが設けられた角度保持部材１６が挿通されている。また内部には、角度調整機構である３つの溝１６ｂ，１６ｃ，１６ｄが設けられている。そして、その３つのいずれかの溝にばね部材６の突出部６ｃを嵌め込むことによってフレーム８及びシート２を含む座部３の脚部５に対する角度を所定の角度で保持することができ、またその所定の角度は挿し込む溝の位置によって調整可能となっている。図２はその一番上の溝１６ｂに突出部６ｃを嵌め込んだ状態を示したものである。
【００１９】
図３は溝の位置による座部３の傾きを示したもので、図３（ａ）は図２と同様に一番上の溝１６ｂに突出部６ｃを嵌め込んだ状態を示したものであり、図３（ｂ）は中央の溝１６ｃに突出部６ｃを嵌め込んだ状態を示したものであり、図３（ｃ）は一番下の溝１６ｄに突出部６ｃを嵌め込んだ状態を示したものである。
【００２０】
図１に戻り、脚部５は更に、Ｕ字部１１の幅と略同じ幅に離間された２本の縦棒部材１８ａの中央部に１本の横棒部材１８ｂを架けてＨ形に形成した揺動停止部材１８を備える。この揺動停止部材１８の縦棒部材１８ａ一端はＵ字部１１の側部に設けられた取付具１９に図中βの角度で枢動可能に取り付けられている。図１〜図３は、この揺動停止部材１８を使用していない揺動可能状態を示した図で、前カバー１２の両側部に設けられた収納溝１２ｂに揺動停止部材１８の一端が嵌め込まれている。
【００２１】
一方、図４は揺動停止部材１８を用いてバウンサー１がバウンシング運動をしないように固定された状態を示した図である。図４（ａ）は固定状態のバウンサー１の前側面図、図４（ｂ）は固定状態のバウンサー１を斜め後方より見た図である。このように、連結部９の下端に揺動停止部材１８の一端１８ａを挿し込むことによりフレーム８が固定され、シート２の揺動が防止される。
【００２２】
再度図１に戻ると、座部３は、連結部９の後下部から長さ調整機構２３を介してシート２の裏面を通り当該裏面よりも下に延びる揺動制限部材２１を更に備える。図５は、その揺動制限部材２１と連結部９との連結部分の拡大断面図である。図５（ａ）で示したように、連結部９の後下部には穴９ａが設けられている。穴９ａには、側面に挿入孔２２ａが設けられた所定長さの円筒部材２２が挿入されている。長さ調整機構２３は、円筒部材２２の挿入孔２２ａが設けられた部分の外周に取り付けられており、内部にピン部材２３ａを備え、ピン部材２３ａの頭部はレバー２３ｂで覆われ、レバー２３ｂを押すとピン部材２３ａが挿入孔２２ａに挿入された図５（ａ）の状態となり、レバー２３ｂを引くとピン部材２３ａが挿入孔２２ａから抜けた図５（ｂ）の状態となる。
【００２３】
図５及び図４（ｂ）に示したように、揺動制限部材２１は、棒状部材を湾曲させたものであり、両端には複数の調整孔２１ａが設けられ、その両端は円筒部材２２に挿入されている。そして、図５（ｂ）に示したように長さ調整機構２３のレバー２３ｂを上げてピン部材２３ａを持ち上げ、揺動制限部材２１をシート２から離れる方向Ａに引き、円筒部材２２の挿入孔２２ａと揺動制限部材２１の適切な調整孔２１ａとを一致させてレバー２３ｂを押し、ピン部材２３ａを挿入孔２２ａと調整孔２１ａとの両方に貫通させることによって、揺動制限部材２１がシート２の後方に突き出す長さを長くすることができる。また逆に、揺動制限部材２１をシート２に近づく方向Ｂに押して、円筒部材２２の挿入孔２２ａと揺動制限部材２１の適切な調整孔２１ａとを一致させて、レバー２３ａを押してピン部材２３ａを挿入孔２２ａと調整孔２１ａとの両方に貫通させることによって、揺動制限部材２１がシート２の後方に突き出す長さを短くすることができる。
【００２４】
図６は、バウンサー１の収納時の状態を示したものである。ばね部材６の突出部６ｃを角度保持部材１６の溝から外し、ばね部材６と角度保持部材１６との係合が解除されている。また揺動制限部材２１は最も短く収納されている。そして座部３が脚部５の方に倒れ、揺動制限部材２１が脚部５より更に突き出てＵ字部１１の間に挟み込まれている。
【００２５】
次に、本形態のバウンサー１の使用方法について説明する。まず、図７（ａ）で示した状態で乳幼児（図示せず）をシート２に乗せる。そうすると図７（ｂ）で示したようにばね部材６が撓んでシート２が所定の位置ｘで釣り合う。この状態でフレーム８を図中Ｃで示したように下方に押すと、ばね部材６が更に撓む。そしてシート２が床面４に接触する前に、図７（ｃ）に示したように揺動制限部材２１が床面４と接触するためシート２は位置ｙよりも下がることはない。そして手を離すと、バウンサー１は図７（ｂ）のシート２の位置である位置ｘを中心として角度γの範囲で揺動する。
【００２６】
図８は図７で示した場合よりも軽い乳幼児を乗せた場合を示した図である。この場合、ばね部材６の撓みは少なく、図７（ｂ）の状態よりもシート２の高さが高い図８（ａ）の位置が釣合いの位置である。この位置から、フレーム８を下に押すと、揺動制限部材２１が床面４に接するまでにフレーム８が下がる距離は図７の場合よりも大きくなる。この状態で揺動を開始すると、揺れの範囲は図８（ａ）においてγ’で示す広い範囲となり、乳幼児にとって揺れが激しすぎる可能性がある。この場合は、図５で示したようにピン部材２３ａを持ち上げて図８（ｂ）で示した位置まで揺動制限部材２１を引き伸ばす。そうすると、フレーム８を下方に押して床面４に接触するまでの距離は適正な距離となり、揺れの範囲も、図８（ｂ）で示した適正な範囲γとなる。
【００２７】
バウンシングを停止させる場合は、図４で示したように揺動停止部材１８の前方を持ち上げて連結部９の下部に挿し込み、揺動停止部材１８によってフレーム８と脚部５との間を固定とする。
【００２８】
また、バウンサー１を収納する場合は、図６で示したように、揺動停止部材１８が前カバー１２の収納溝１２ｂに収納された状態で、ばね部材６の突出部６ｃを角度保持部材１６の溝から外す。そして長さ調整機構２３のレバー２３ｂを引いて揺動制限部材２１を最も短く収納し、図示したように座部３を脚部５の方に倒して、揺動制限部材２１を脚部５より更に下方に突き出させてＵ字部１１の間に挟み込む。これによって、バウンサー１をコンパクトに折りたたむことができる。
【００２９】
本形態によると、座部３を下方に押し下げた場合に、シート２が床面に接するより前に揺動制限部材２１が床面４に当接する。従って、シート２がそれ以上下がることがなく、シート２の揺れの範囲を所望の範囲γに制限することができる。また、乳幼児の体重により釣合いの位置が異なった場合も、揺動制限部材２１の長さが調整可能であるため、釣合いの位置にかかわらず揺動範囲を所定の範囲γに制限することができる。
【００３０】
以上、本発明の揺動椅子の好適な実施形態について説明したが、本発明は、上述した形態に限定されることなく、種々の形態にて実施してよい。例えば弾性部材は、湾曲させた棒状部材に限定されず、コイルばね等であってもよい。また、揺動椅子は乳幼児用に限定されず、大人用のものであってもよい。更に、本形態では、シートの周りに設けられたフレームと脚部とを連結したが、これに限定されず、シートと脚部とを直接弾性部材で連結してもよい。
【図面の簡単な説明】
【００３１】
【図１】本発明の一形態のバウンサーの斜視図。
【図２】バウンサーの前方を示した図。
【図３】溝の位置による座部の傾きを示した図。
【図４】揺動停止部材を使用した揺動椅子の固定状態を示した図。
【図５】揺動制限部材と連結部との連結部分の拡大断面図。
【図６】バウンサーの収納時の状態を示した図。
【図７】バウンサーの使用状態を示した図。
【図８】図７よりも軽い乳幼児を乗せた場合の使用状態を示した図。
【符号の説明】
【００３２】
１    バウンサー（揺動椅子）
２    シート
３    座部
４    床面
５    脚部
６    弾性部材（ばね部材）
１６  角度保持部材
１６ａ，１６ｂ，１６ｃ  角度調整機構
２１  揺動制限部材
２２  円筒部材
２２ａ  挿入孔
２３    長さ調整機構
２３ａ  ピン部材
【図１】
2007159709.tif 000003
【図２】
2007159709.tif 000004
【図３】
2007159709.tif 000005
【図４】
2007159709.tif 000006
【図５】
2007159709.tif 000007
【図６】
2007159709.tif 000008
【図７】
2007159709.tif 000009
【図８】
2007159709.tif 000010